(57)【要約】      （修正有）【課題】従来からの部品点数、組立工数を増やすことなく、コードリールユニットのコード出入口の強度を確保した電気掃除機を提供すること。【解決手段】コードリールユニットのコード止めリブ内に磨耗防止用の金属棒１８を備え、金属棒１８を覆った磨耗防止リブ１７を電気掃除機の上部を構成する部品のボデーウエ２の係止部Ａ２６、ボデーアテイタ３の係止部Ｂ２７で磨耗防止リブ１７の端部の両端を係止することにより、コード出入口付近の機械的強度および製品本体の強度を確保した。【選択図】図７
2014004273.tif 000002
【特許請求の範囲】
【請求項１】
電気掃除機本体へ電源を供給する電源コードと、前記電源コードを巻き取るコードリールと、前記コードリールを保持するコードリール取り付け板とからなる電源コード巻取り装置と、
前記コードリール取り付け板から略鉛直方向に突出し前記電源コード巻取り装置のコード出入口の上部を形成するコード止めリブと、
前記コード止めリブの下部に位置し前記コードリール取り付け板から略鉛直方向に突出することで前記電源コード巻取り装置のコード出入口の下部を形成する磨耗防止リブと、
前記磨耗防止リブの内部と前記コードリール取り付け板とで保持される金属棒と、を備え、
前記金属棒を前記コード巻取り装置にて覆った端部の両側を、電気掃除機本体の上部を構成する部品により上方から係止するよう構成した電気掃除機。
【請求項２】
前記端部の両側を係止する電気掃除機本体の上部を構成する部品は複数とした請求項１に記載の電気掃除機。
【請求項３】
前記コード出入口の上部を形成するコード止めリブの上部に突起部を設け、この突起部を電気掃除機本体の上部を構成する部品で係止する構成とした請求項１または２に記載の電気掃除機。
【発明の詳細な説明】
【技術分野】
【０００１】
本発明は、電気掃除機などの電気機器本体に組み込まれるコードリールユニットに関するものである。
【背景技術】
【０００２】
従来から電気掃除機の本体内に収納されるコードリールユニットに関しては、（例えば、特許文献１参照）コード仮止め用のリブをリールサポーターに一体成型し、コード仮止め用のリブを本体ケース内面の両側縁に突設したリブと係合する位置関係としたことにより、コード出入口付近の強度を確保したものがある。従来のこの種のコードリールユニットについて図８から１０を用いて説明する。
【０００３】
第８図に示すように、電気掃除機本体内にリールサポーター１０４が設けられ、さらに該リールサポーター１０４には電源を供給するためのコード１０８を巻き取るためのコードリール１０３が回転自在に取り付けられている。リールケース１０５の内部にはコード１０８を巻き取るための付勢手段が設けられている。リールサポーター１０４は、合成樹脂などからなる板状部材であり、コードリール１０３が取り付けられる側の側面のコード出入口近傍に薄板上のコード巻き込み防止部１１１が突設されている。さらに、前記コード巻き込み防止部１１１から前記本体ケース１０１の内部側へ離間した位置に先端部１０９ａが前記リールサポーターの外面の一部に平行に離間するように、平板状のコード仮止めリブ１０９が設けられている。
【０００４】
また第９図には、本体ケース１０１の内面において、一対のコード開放用リブ１１０が、前記コード仮止めリブ１０９の先端部１０９ａの両側縁に位置するように、それぞれ突設している。
【０００５】
第１０図はリールサポーター１０４が本体ケース１０１にセットされた状態を示しており、コード仮止めリブ１０９と本体ケース１０１からコード開放用リブ１１０が底面で重ね合わされている。
【０００６】
以上の構成より、リールサポーター１０４のコード仮止めリブ１０９が、本体ケース１０１に組み込まれる際に、コード仮止めリブ１０９に保持されたコード１０８が外れると同時に、コード開放用リブ１１０とコード仮止めリブ１０９が係止する。コード仮止めリブ１０９が、コード出入口方向に対して前後方向がコード開放用リブ１１０にて係合されるため、コード出入口近傍の強度が確保される。
【先行技術文献】
【特許文献】
【０００７】
【特許文献１】特開平９−１２２０５１号公報
【発明の概要】
【発明が解決しようとする課題】
【０００８】
しかしながら前記従来の構成においては、コード出入口部から遠い位置でリブ同士が係止されていただけであり、またリブは樹脂同士であるために十分な強度が得られなかった。更にリブの係止位置はコード出入口部からの距離があるため、コード出入口部の強度を確保するには不十分な構成である課題を有していた。
【０００９】
本発明は上記課題を解決するもので、従来からの部品点数、組立工数を増やすことなく
、コード出入口の機械的強度を確保した電気掃除機を提供することを目的とするものである。
【課題を解決するための手段】
【００１０】
前記従来の課題を解決するために、本発明の電気掃除機は、電気掃除機本体へ電源を供給する電源コードと、前記電源コードを巻き取るコードリールと、前記コードリールを保持するコードリール取り付け板とからなる電源コード巻取り装置と、前記コードリール取り付け板から略鉛直方向に突出し前記電源コード巻取り装置のコード出入口の上部を形成するコード止めリブと、前記コード止めリブの下部に位置し前記コードリール取り付け板から略鉛直方向に突出することで前記電源コード巻取り装置のコード出入口の下部を形成する磨耗防止リブと、前記磨耗防止リブの内部と前記コードリール取り付け板とで保持される金属棒と、を備え、前記金属棒を前記コード巻取り装置にて覆った端部の両側を、電気掃除機本体の上部を構成する部品により上方から係止するよう構成したものである。
【００１１】
これにより、コード出入口近傍の機械的強度を確保できると共に、電気掃除機本体の上部を構成する部品についても係止部が増えることによって、製品全体の強度確保を図ることができる。
【発明の効果】
【００１２】
本発明によれば、従来からの部品点数、組立工数を増やすことなく、コード出入口付近および製品全体の強度を改良した電気掃除機を提供できる。
【図面の簡単な説明】
【００１３】
【図１】本発明の実施の形態１における電気掃除機の全体斜視図
【図２】同電気掃除機の平面図
【図３】同電気掃除機のコードリールユニットの側面図
【図４】同コードリールユニットのコード出入口の一部矢視図
【図５】同電気掃除機のＡ−Ａ断面図
【図６】同電気掃除機のＢ−Ｂ断面図
【図７】同電気掃除機のＣ−Ｃ断面図
【図８】従来の電気掃除機のコードリールユニットの側面図
【図９】同電気掃除機の本体ケースの側面図
【図１０】同電気掃除機の本体ケース及びコードリールユニットの組み立て図
【発明を実施するための形態】
【００１４】
第１の発明は電気掃除機本体へ電源を供給する電源コードと、前記電源コードを巻き取るコードリールと、前記コードリールを保持するコードリール取り付け板とからなる電源コード巻取り装置と、前記コードリール取り付け板から略鉛直方向に突出し前記電源コード巻取り装置のコード出入口の上部を形成するコード止めリブと、前記コード止めリブの下部に位置し前記コードリール取り付け板から略鉛直方向に突出することで前記電源コード巻取り装置のコード出入口の下部を形成する磨耗防止リブと、前記磨耗防止リブの内部と前記コードリール取り付け板とで保持される金属棒と、を備え、前記金属棒を前記コード巻取り装置にて覆った端部の両側を、電気掃除機本体の上部を構成する部品により上方から係止するよう構成したもので、コード出入口近傍の機械的強度を確保できると共に、電気掃除機本体の上部を構成する部品についても係止部が増えることによって、製品全体の強度確保を図ることができる。また、上下の組立の嵌合のみでコード出入口において部品同士の係止が行えるので、係止に関わる工数を特に必要としないで済む利点がある。
【００１５】
第２の発明は、特に第１の発明において、前記端部の両側を係止する電気掃除機本体の上部を構成する部品は複数としたもので、部品を複数にすることでよりコード出入口付近
の強度を上げることでき、さらには係止される部品が増加することで電気掃除機全体の強度確保を図ることができる。
【００１６】
第３の発明は、特に第１または第２の発明において、前記コード出入口の上部を形成するコード止めリブの上部に突起部を設け、この突起部を電気掃除機本体の上部を構成する部品で係止する構成としたことで、更なる強度の確保が期待でき、コード出入口周囲の信頼性の向上を図ることができる。また、上下の組立の嵌合のみでコード出入口において部品同士の係止が行えるので、係止に関わる工数を特に必要としないで済む利点がある。
【００１７】
（実施の形態１）
本発明の電気掃除機とコードリールユニットを図１〜４を用いて説明する。電気掃除機の前方には、塵埃を吸入するホースなどのアタッチメントが取付け可能な、フロントカバー１４にて形成された吸入部１０が設けられている。本体に着脱自在な集塵ボックスユニット３０は、粗ごみを集塵する集塵筒部８と、集塵筒部８の下部に設けられた集塵筒部８に溜まった塵埃を廃棄する際に開閉する集塵部蓋１２と、集塵筒部８下流部に設けられた細塵を捕集するフィルター部９と、本体にセット時は本体の持ち運び用のサゲテ７に係止し格納されているダストサゲテ部１３とからなり、フィルター部９はダスト爪部１１により集塵筒８に固定されている。
【００１８】
集塵ボックスユニット３０の下流部に当たる電気掃除機の内部には、空気を吸引するための電動送風機３４を取り付けた電動送風機室（図示せず）と、電源を供給するコードリールユニット３１を配するコードリール室（図示せず）とを格納し、前記内部部品を上下に格納し電気掃除機本体を構成するボデーシタ１とボデーウエ２が設けられている。また、ボデーウエ２と嵌合にて係止され外観部分を構成するボデーアテイタ３が配置されている。
【００１９】
電気掃除機の両側には移動用のローラー４が取り付けられている。コードリールユニット３１は、本体に電源を供給するための電源コード１５と、電源コード１５を巻き取るコードリール２０と、コードリール２０を保持するコードリール取り付け板２５と、コードリール２０の側面に挟持されコードリール２０を自動で巻き取るためのゼンマイバネ２１とゼンマイバネ２１を保持するためのゼンマイバネフタ２２と、コードリール２０の回転を制御するブレーキレバー３３と、ブレーキレバー３３にコードリール２０を制動するリブ（図示せず）を設け、ブレーキレバー３３を回動規制させる板バネ（図示せず）とで構成されている。
【００２０】
またコードリール取り付け板２５から略垂直に出たコード出入口２３となる部分でコードを保持することが出来るコの字型に形成されたコード止めリブ１９の下部に、磨耗防止リブ１７を備え、磨耗防止リブ１７には、コードの出入りによるコード出入口２３部の磨耗防止の為に金属棒が挿入される穴である挿入穴１６と金属棒１８を備えている。
【００２１】
次に本発明にかかるコードリールユニット３１と本体ボデー部の関係を図５〜７にて説明する。図５〜７は本体のコードの出入口の要部断面図で、ボデーウエ２とボデーアテイタ３は磨耗防止リブ１７と係止することが出来る凹部を有しており、ボデーウエ２のリブを受ける凹部を係止部Ａ２６、ボデーアテイタ３のリブを受ける凹部を係止部Ｂ２７をそれぞれ形成しており、電気掃除機本体の組立時には、磨耗防止リブ１７の両端を係止部Ａ２６及び係止部Ｂ２７が嵌合するようになっている。
【００２２】
また、図６に示すように、コード出入口２３中央付近では、コード出入口２３の上部において、コード止めリブ１９の突起部２８とボデーアテイタ３が嵌合されている。
【００２３】
上記構成による作用は以下の通りである。通常電気掃除機は、強度確保のために部品同士の爪嵌合や、金属のビスを用いた係止が用いられ、係止部分の箇所を増やすことで使用時の落下や、家具や壁などへの衝撃による破壊を防ぐための機械的強度を確保している。
【００２４】
しかしながら、単純に係止部分を増やすことになると、通常は組立工数がかかることで製造の原価のアップにつながってしまう。
【００２５】
本発明の構成では、上下の組立の嵌合のみでコード出入口２３において部品同士の係止が行えるので、ボデーアテイタ３がボデーウエ２に組まれ、更にコードリールユニット３０がボデーシタ１にセットされた状態にて本体の組立を行おうとするときには、組立者は特に先述した該当部品について意識して組む必要がないので従来の方法で本体セットすればよく、本発明の係止のみに関わる工数を特に必要としない。
【００２６】
また従来まではコード巻き取り動作によるコード出入りにより磨耗防止リブ１７が磨耗し強度が低下するのを防止するためだけの目的により、金属棒１８を磨耗防止リブ１７の挿入穴１６内に保持していたもので、上述の本発明の金属棒１８が挿入された磨耗防止リブ１７を、係止部Ａ２６、係止部Ｂ２７として活用し強度をアップする目的として使用することはなかった。
【００２７】
しかしながらこのように簡便な方法ながら、係止部Ａ２６、係止部Ｂ２７は樹脂部のみの嵌合ではなく内部に金属部を保持しているため強度的には従来よりも飛躍的に大きくなる。また電気掃除機本体の主たる部品であるボデーウエ２もコードリールユニット３０に係止部分を設けていない従来の構成と比較すると係止部が増えており電気掃除機本体の強度もアップすることができる。また、コード磨耗防止リブ１７だけでなく、コード止めリブ１９の上部に設けた突起部２８と電気掃除機本体の上部を構成する部品とが嵌合し係止することでより強固な形状とすることができる。
【産業上の利用可能性】
【００２８】
以上のように、本発明にかかるコード巻取り装置及び電気掃除機は、簡便な方法でコード出入口付近の強度を確保することが出来るので、利用者に利便性を維持しながら安価な電気掃除機を提供することができ、家庭用、業務用電気掃除機等に広く適用できる。
【符号の説明】
【００２９】
１  ボデーシタ
２  ボデーウエ
３  ボデーアテイタ
１５  電源コード
１６  挿入穴
１７  磨耗防止リブ
１８  金属棒
１９  コード止めリブ
２０  コードリール
２５  コードリール取り付け板
２６  係止部Ａ
２７  係止部Ｂ
２８  突起部
３１  コードリールユニット（電源コード巻取り装置）
【図１】
2014004273.tif 000003
【図２】
2014004273.tif 000004
【図３】
2014004273.tif 000005
【図４】
2014004273.tif 000006
【図５】
2014004273.tif 000007
【図６】
2014004273.tif 000008
【図７】
2014004273.tif 000009
【図８】
2014004273.tif 000010
【図９】
2014004273.tif 000011
【図１０】
2014004273.tif 000012